(57)【要約】【課題】つまみ部が衝撃受けた場合に、本体ケース内の部品に伝わることを抑制し、耐久性が向上する電気機器を提供することを目的とする。【解決手段】第１の開口（側面開口１６）を有した本体ケース３と、本体ケース３内に固定されたスイッチケース３０と、スイッチケース３０内に固定された基板部１９と、基板部１９の一方面側に装着されたスイッチ１７と、スイッチ１７に装着され第１の開口（側面開口１６）から本体ケース３外へ突出したつまみ部１８とを備えている。基板部１９は、基板部１９における一方側縁部がスイッチケース３０に設けた第１の支持部３７によって支持され、基板部１９における他方側縁部が本体ケース３内に設けた第２の支持部３８によって支持され、つまみ部１８に対して本体ケース３の内方へ衝撃が加わると、第２の支持部３８が他方側縁部から外れることを特徴とする。【選択図】図６
2017174525.tif 000002
【特許請求の範囲】
【請求項１】
第１の開口を有した本体ケースと、
前記本体ケース内に固定されたスイッチケースと、
前記スイッチケース内に固定された平板形状の基板部と、
前記基板部に前記第１の開口に対向するように前記基板部の一方面側に装着されたイッチと、
前記スイッチに装着され前記第１の開口から前記本体ケース外へ突出したつまみ部とを備え、
前記基板部は、
前記基板部における一方側縁部が前記スイッチケースに設けた第１の支持部によって支持され、
前記基板部における他方側縁部が前記本体ケース内に設けた第２の支持部によって支持され、
前記つまみ部に対して前記本体ケースの内方へ衝撃が加わると、
前記第２の支持部が前記基板部における他方側縁部から外れることを特徴とする電気機器。
【請求項２】
前記第２の支持部は、
前記本体ケースに固定された平板形状の平板部と、
前記平板部から延びた押さえ部とを備え、
前記第２の支持部の前記平板部が撓み前記押さえ部が前記基板部における他方側縁部から外れることを特徴とする請求項１に記載の電気機器。
【請求項３】
前記押さえ部は、
前記第１の開口の開口軸方向に対して垂直な面であり前記基板部の他方側縁部における前記基板部の他方面側に接触する面部押さえ面を備えることを特徴とする請求項２に記載の電気機器。
【請求項４】
前記面部押さえ面から前記第１の開口の反対側へ延び、
前記基板部の他方面側と成す角度が鋭角である傾斜部を備え、
前記つまみ部に対して前記本体ケースの内方へ衝撃が加わると、
前記基板部における他方側縁部が前記面部押さえ面から外れ前記傾斜部に乗り上げることを特徴とする請求項３に記載の電気機器。
【発明の詳細な説明】
【技術分野】
【０００１】
本発明は、ロータリー式のスイッチを備えた電気機器に関するものである。
【背景技術】
【０００２】
従来この種のロータリー式のスイッチはつまみ部を備え、このつまみ部を摘んで回すものが知られていた（例えば特許文献１参照）。
【先行技術文献】
【特許文献】
【０００３】
【特許文献１】特開２０１５−１７５３０９号公報
【発明の概要】
【発明が解決しようとする課題】
【０００４】
このような従来のロータリー式のスイッチを備えた電気機器は、摘み易いようにつまみ部が本体ケースから突出しているので、使用者が誤って物を落とすなどすると、つまみ部が衝撃を受けることが考えられる。つまみ部が衝撃を受けると、その衝撃が本体ケース内の部品に伝わり、本体ケース内の部品の耐久性が低減するという課題を有していた。
【０００５】
そこで本発明は、つまみ部が衝撃を受け、その衝撃が本体ケース内の部品に伝わることを低減し、耐久性が向上する電気機器を提供することを目的とする。
【課題を解決するための手段】
【０００６】
上述の目的を達成するために、本発明は、第１の開口を有した本体ケースと、前記本体ケース内に固定されたスイッチケースと、前記スイッチケース内に固定された平板形状の基板部と、前記基板部に前記第１の開口に対向するように前記基板部の一方面側に装着されたイッチと、前記スイッチに装着され前記第１の開口から前記本体ケース外へ突出したつまみ部とを備え、前記基板部は、前記基板部における一方側縁部が前記スイッチケースに設けた第１の支持部によって固定され、前記基板部における他方側縁部が前記本体ケース内に設けた第２の支持部によって固定され、前記つまみ部に対して前記本体ケースの内方へ衝撃が加わると、前記第２の支持部が他方側縁部から外れることを特徴とし、これにより所期の目的を達成するものである。
【発明の効果】
【０００７】
本発明に係る送風装置によれば、第１の開口を有した本体ケースと、前記本体ケース内に固定されたスイッチケースと、前記スイッチケース内に固定された平板形状の基板部と、前記基板部に前記第１の開口に対向するように前記基板部の一方面側に装着されたイッチと、前記スイッチに装着され前記第１の開口から前記本体ケース外へ突出したつまみ部とを備え、前記基板部は、前記基板部における一方側縁部が前記スイッチケースに設けた第１の支持部によって固定され、前記基板部における他方側縁部が前記本体ケース内に設けた第２の支持部によって固定され、前記つまみ部に対して前記本体ケースの内方へ衝撃が加わると、前記第２の支持部が他方側縁部から外れることを特徴とするものである。
【０００８】
このように、つまみ部に対して本体ケースの内方へ衝撃が加わると、第２の支持部が他方側縁部から外れるので、つまみ部が衝撃受けた場合に、本体ケース内の部品に伝わることを抑制し、耐久性が向上する。
【図面の簡単な説明】
【０００９】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台のスイッチ周りを示す断面斜視図
【図７】同支持台のスイッチ周りを示す分解図
【図８】同支持台のスイッチ周りを示す断面図
【図９】同支持台の第２の支持部を示す斜視図
【図１０】同支持台のスイッチ周りを示す断面図
【発明を実施するための形態】
【００１０】
（実施の形態１）
以下、添付図面を参照して、本発明の実施の形態につき説明し、本発明の理解に供する。
【００１１】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１２】
以下、本発明の実施の形態１に係る支持台について説明する。
【００１３】
図１は、本発明の実施の形態１に係る送風機と支持台の外観図である。図２は、本発明の実施の形態１に係る支持台の外観図である。
【００１４】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１５】
図３は、本発明の実施の形態１に係る支持台の断面図である。図４は、本発明の実施の形態１に係る支持台の分解図である。
【００１６】
図３、４に示すように、回動体４は、送風機２を支持する支持部５と、支持部の下部に固定された摺動部６とを備えている。
【００１７】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１８】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００１９】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２０】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２１】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２２】
図５は、本発明の実施の形態１に係る支持台の断面図である。
【００２３】
図３、５に示すように、本体ケース３内には、基板部１９と、モータ２１と、第１の歯車２２と、第２の歯車２３とを備えている。
【００２４】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２５】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２６】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２７】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２８】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００２９】
図６は、本発明の実施の形態１に係る支持台のスイッチ周りを示す断面斜視図である。
図７は、本発明の実施の形態１に係る支持台のスイッチ周りを示す分解図である。図８は、本発明の実施の形態１に係る支持台のスイッチ周りを示す断面図である。図９は、本発明の実施の形態１に係る支持台の第２の支持部を示す斜視図である。
【００３０】
スイッチ１７周りについて詳しく説明する。図６、７、８、９に示すように、本体ケース３内には、スイッチケース３０と、基板部１９と、スイッチ１７とを備えている。
【００３１】
スイッチケース３０は、本体ケース３の側面に対向するように設けられた横長の略平板形状の第１の板部３１と、第１の板部３１の両短辺から本体ケース３の内方に延びた略平板形状の第２の板部３２と、第１の板部３１の上部長辺から本体ケース３の内方に延びた略平板形状の第３の板部３３とを備えている。第３の板部３３と、２枚の第２の板部３２とは連結し、２枚の第２の板部３２が本体ケース３に固定されている。スイッチケースの第１の板部３１には、長円形の第２の開口３４を備えている。スイッチケース３０内には、基板部１９が固定されている。
【００３２】
平板形状の基板部１９は、一方面側の平面が第１の板部３１と対向し、スイッチケース３０内である２つの第２の板部３２の間に配置されている。基板部１９の一方面側の平面には、回転式のスイッチ１７であるボリュームスイッチが固定されている。
【００３３】
スイッチ１７は、スイッチケース３０の第１の板部３１の第２の開口３４と、本体ケース３の側面の側面開口１６とに対向している。スイッチ１７は、基板部１９に形成された導体パターンと電気的に接続されている。スイッチ１７は回動式であり、スイッチ１７から第２の開口３４に向かって回動軸方向へ延びた棒形状のスイッチシャフト２４を有している。スイッチシャフト２４の先端に着脱可能なつまみ部１８を備えている。
【００３４】
つまみ部１８は、本体ケース３の側面開口１６（第１の開口）から突出している。つまみ部１８は、スイッチシャフト２４が嵌る筒形状の筒部分３５を備えている。つまみ部１８内には、円環形状のバネ３６を備えている。
【００３５】
基板部１９は、スイッチケース３０の第１の板部３１の内面から延びたボス４３に、ねじ４４によって固定さえているが、つまみ部１８での操作時に基板部１９が傾き難いように、第１の支持部３７と第２の支持部３８とによって支持されている。第１の支持部３７は、スイッチケース３０に設けられ、基板部１９における一方側縁部を支持する。第２の支持部３８は、本体ケース３内に設けられ、基板部１９における他方側縁部を支持する。
【００３６】
図１０は、本発明の実施の形態１に係る支持台のスイッチ周りを示す断面図である。図１０は、つまみ部１８に対して本体ケース３の内方へ衝撃が加わり、第２の支持部３８の平板部３９が下方へ撓み、押さえ部４０が基板部１９における他方側縁部から外れた状態である。
【００３７】
本実施の形態における特徴は、図１０に示すように、つまみ部１８に対して本体ケース３の内方へ衝撃が加わると、第２の支持部３８が基板部１９の他方側縁部から外れる点である。第２の支持部３８は、本体ケース３に固定された平板形状の平板部３９と、平板部３９から延びた押さえ部４０とを備えている。第２の支持部３８の平板部３９が下方へ撓み、押さえ部４０が基板部１９における他方側縁部から外れる。なお、第２の支持部３８は、平板部３９より内方で本体ケース３にねじ止めされている。
【００３８】
具体的には、平板部３９の平面は、側面開口１６（第１の開口）の開口軸方向とほぼ同方向に延び、押さえ部４０は、側面開口１６（第１の開口）の開口軸方向に対して垂直な面であり、基板部１９の他方側縁部における基板部１９の他方面側に接触する面部押さえ面４１を備える。
【００３９】
面部押さえ面４１から側面開口１６（第１の開口）の反対側へ延び、基板部１９の他方面側と成す角度が鋭角である傾斜部４２を備えている。つまみ部１８に対して本体ケース３の内方へ衝撃が加わった瞬間には、基板部１９における他方側縁部が面部押さえ面４１から外れ、傾斜部４２に乗り上げる。その後、基板部１９における他方側縁部が、傾斜部４２に沿って下り、基板部１９の他方面側が面部押さえ面４１に再び接触する。
【００４０】
これにより、つまみ部１８に対して本体ケース３内方への衝撃の場合には、本体ケース３内の部品が壊れることを抑制できる。
【産業上の利用可能性】
【００４１】
送風により清涼感を与えたり空間内の空気循環を促したりする送風機の支持台として有用である。
【符号の説明】
【００４２】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口（第１の開口）
１７    スイッチ
１８    つまみ部
１９    基板部
２０    電源コード
２１    モータ
２２    第１の歯車
２３    第２の歯車
２４    スイッチシャフト
２５    回転軸
２６    中継コード
３０    スイッチケース
３１    第１の板部
３２    第２の板部
３３    第３の板部
３４    第２の開口
３５    筒部分
３６    バネ
３７    第１の支持部
３８    第２の支持部
３９    平板部
４０    押さえ部
４１    面部押さえ面
４２    傾斜部
４３    ボス
４４    ねじ
【図１】
2017174525.tif 000003
【図２】
2017174525.tif 000004
【図３】
2017174525.tif 000005
【図４】
2017174525.tif 000006
【図５】
2017174525.tif 000007
【図６】
2017174525.tif 000008
【図７】
2017174525.tif 000009
【図８】
2017174525.tif 000010
【図９】
2017174525.tif 000011
【図１０】
2017174525.tif 000012